(57)【要約】      （修正有）【課題】ディスプレイパネルおよび背面構造物のうちの少なくとも一つに付着して振動発生装置の最大変位を制限する緩衝部材を含むことにより、外部からの衝撃によって振動発生装置が損傷することを防止するディスプレイ装置を提供するものである。【解決手段】本出願の例に係る表示装置は、映像を表示するディスプレイパネル１００、ディスプレイパネルを支持し厚さ方向に沿って穿孔された貫通孔２１０を含む背面構造物２００、貫通孔に挿入してディスプレイパネルを振動させる少なくとも一つの音響発生モジュール３１０を含む振動発生装置３００、ディスプレイパネルと振動発生装置の間に介在して振動発生装置の振動をディスプレイパネルに伝達する振動伝達部材６００、およびディスプレイパネルおよび背面構造物のいずれかに付着する緩衝部材４００を含むことにより、外部からの衝撃によって振動発生装置が損傷するのを防止することができる。【選択図】図３
2020030410.tif 000002
【特許請求の範囲】
【請求項１】
映像を表示するディスプレイパネル、
前記ディスプレイパネルを支持して厚さ方向に沿って穿孔された貫通孔を含む背面構造物、
前記貫通孔に挿入され前記ディスプレイパネルを振動させる少なくとも一つの音響発生モジュールを含む振動発生装置、
前記ディスプレイパネルと前記振動発生装置の間に介在して前記振動発生装置の振動を前記ディスプレイパネルに伝達する振動伝達部材、および
前記ディスプレイパネル及び前記背面構造物のいずれかに付着する緩衝部材を含む、ディスプレイ装置。
【請求項２】
前記緩衝部材が、前記背面構造物と向き合う前記ディスプレイパネルの一面に付着する、請求項１に記載のディスプレイ装置。
【請求項３】
前記緩衝部材が、前記振動伝達部材から離隔して前記振動伝達部材を囲む、請求項２に記載のディスプレイ装置。
【請求項４】
前記ディスプレイパネルと前記背面構造物の間に介在したパーティション部材をさらに含み、
前記緩衝部材の厚さが、前記パーティション部材の厚さよりも薄い、請求項２に記載のディスプレイ装置。
【請求項５】
前記緩衝部材が、複数の緩衝部材を含み、
前記複数の緩衝部材は、振動伝達部材を基準に互いに対称になるように配置される、請求項２に記載のディスプレイ装置。
【請求項６】
前記緩衝部材が、ディスプレイパネルと向き合う前記背面構造物の一面に付着する、請求項１に記載のディスプレイ装置。
【請求項７】
前記緩衝部材が、前記振動伝達部材から離隔して前記振動伝達部材を囲む、請求項６に記載のディスプレイ装置。
【請求項８】
前記ディスプレイパネルと前記背面構造物の間に介在したパーティション部材をさらに含み、
前記緩衝部材の厚さが、前記パーティション部材の厚さよりも薄い、請求項６に記載のディスプレイ装置。
【請求項９】
前記緩衝部材が、複数の緩衝部材を含み、
前記複数の緩衝部材は、振動伝達部材を基準に互いに対称になるように配置される、請求項６に記載のディスプレイ装置。
【請求項１０】
前記緩衝部材が、ディスプレイパネルと向き合う前記背面構造物の一面と反対の一面に付着して前記貫通孔と重畳するように配置される、請求項１に記載のディスプレイ装置。
【請求項１１】
前記緩衝部材が、
前記背面構造物の背面に付着する垂直部、および
前記貫通孔と重畳して前記振動発生装置と並んで配置された水平部を含む、請求項１０に記載のディスプレイ装置。
【請求項１２】
前記ディスプレイパネルと前記背面構造物の間に介在したパーティション部材をさらに有し、
前記水平部と前記振動発生装置の間の距離が、前記パーティション部材の厚さよりも小さい、請求項１１に記載のディスプレイ装置。
【請求項１３】
前記緩衝部材が、前記振動発生装置と前記ディスプレイパネルの最大変位を限定する、請求項１〜請求項１２のいずれか一項に記載のディスプレイ装置。
【請求項１４】
映像を表示するディスプレイパネル、
前記ディスプレイパネルを支持して厚さ方向に沿って穿孔された貫通孔を含む背面構造物、
前記貫通孔に挿入され前記ディスプレイパネルを振動させる少なくとも一つの音響発生モジュールを含む振動発生装置、
前記ディスプレイパネルと前記振動発生装置の間に介在して前記振動発生装置の振動を前記ディスプレイパネルに伝達する振動伝達部材、および
前記ディスプレイパネルに付着した第１緩衝部材、及び前記背面構造物に付着した第２緩衝部材を含む緩衝部材を含む、ディスプレイ装置。
【請求項１５】
前記第１緩衝部材が、前記背面構造物と向き合う前記ディスプレイパネルの一面に付着し、前記第２緩衝部材は、前記ディスプレイパネルと向き合う前記背面構造物の一面に付着する、請求項１４に記載のディスプレイ装置。
【請求項１６】
前記第１及び第２緩衝部材が、互いに重畳する、請求項１４に記載のディスプレイ装置。
【請求項１７】
前記ディスプレイパネルと前記背面構造物の間に介在したパーティション部材をさらに含み、
前記第１及び第２緩衝部材の厚さの合計が、前記パーティション部材の厚さよりも薄い、請求項１６に記載のディスプレイ装置。
【請求項１８】
前記第１緩衝部材が、前記背面構造物と向き合う前記ディスプレイパネルの一面に付着し、前記第２緩衝部材は、前記ディスプレイパネルと向き合う前記背面構造物の一面と反対の一面に付着して前記貫通孔と重畳するように配置される、請求項１４に記載のディスプレイ装置。
【請求項１９】
前記第２緩衝部材が、
前記背面構造物の背面に付着する垂直部、および
前記貫通孔と重畳して前記振動発生装置と並んで配置された水平部を含む、請求項１４〜請求項１８のいずれか一項に記載のディスプレイ装置。
【請求項２０】
前記ディスプレイパネルと前記背面構造物の間に介在したパーティション部材をさらに含み、
前記第１緩衝部材の厚さが、前記パーティション部材の厚さよりも薄く、
前記第２緩衝部材の水平部と前記振動発生装置の間の距離は、前記パーティション部材の厚さよりも小さい、請求項１９に記載のディスプレイ装置。
【発明の詳細な説明】
【技術分野】
【０００１】
本出願は、ディスプレイ装置に関するものである。
【背景技術】
【０００２】
最近、情報化時代になるにつれて電気的情報信号を視覚的に表現するディスプレイ（ｄｉｓｐｌａｙ）分野が急速に発展し、これに応えて薄型化、軽量化、低消費電力化に優れた性能を有したさまざまな表示装置（Ｄｉｓｐｌａｙ  Ａｐｐａｒａｔｕｓ）が開発されている。このような表示装置の例としては、液晶表示装置、電界放出表示装置、有機発光表示装置などを挙げることができる。
【０００３】
一般的に、ディスプレイ装置は、ディスプレイパネル上にすべての画像を表示するが、音を提供するためには、別途スピーカーを設置しなければならない。ディスプレイ装置にスピーカーを設置する場合、スピーカーを介して発生した音の進行方向は、画像が表示されるディスプレイパネルの前面または背面ではなく、ディスプレイパネルの側端または上下端になり、ディスプレイパネルの前面で画像を視聴する視聴者の方向に音が進行していないので、画像を見ている視聴者の没入を妨げるという問題がある。
【０００４】
そして、ＴＶなどのセット装置に含まれるスピーカーを構成する場合、スピーカーが一定の空間を占めるようになるので、セット装置のデザインおよび空間配置に制約が伴うという問題が発生する。
【発明の概要】
【発明が解決しようとする課題】
【０００５】
そこで、本出願の発明者らは、前記した問題点を認識し、ディスプレイパネルの前面から映像を視聴時の音の進行方向が表示パネルの前面になり、音の音質が向上し得るいくつかの実験をすることになった。複数の実験を経て、音の進行方向がディスプレイパネルの前面になるように音響を発生させることができ、音の音質を向上させることができる新しい構造のディスプレイ装置を具現した。
【０００６】
本出願は、ディスプレイパネルおよび背面構造物のうちの少なくとも一つに付着して振動発生装置の最大変位を制限する緩衝部材を含むことにより、外部からの衝撃によって振動発生装置が損傷することを防止するディスプレイ装置を提供するものである。
【０００７】
本出願は、振動発生装置がディスプレイパネルを振動させる場合、背面構造物と離隔し、ディスプレイパネルが外部からの衝撃を受けた場合、背面構造物と接触する緩衝部材を含むことにより、外部からの衝撃によって振動発生装置が損傷することを防止するディスプレイ装置を提供するものである。
【０００８】
本出願は、振動発生装置がディスプレイパネルを振動させる場合、振動発生装置と離隔し、ディスプレイパネルが外部からの衝撃を受けた場合、振動発生装置と接触する緩衝部材を含むことにより、外部からの衝撃によって振動発生装置が損傷することを防止するディスプレイ装置を提供するものである。
【０００９】
本出願は、ディスプレイパネルの領域外に、スピーカーが別途配置される空間を省略して、デザインの美感を向上させつつ、ディスプレイ装置の画質および音質を改善し、視聴者の没入感を向上させるディスプレイ装置を提供するものである。
【００１０】
本出願による解決課題は、以上で言及した課題に限定されず、言及していない他の課題は、下の記載から当業者に明確に理解され得るだろう。
【課題を解決するための手段】
【００１１】
本出願によるディスプレイ装置は、映像を表示するディスプレイパネル、ディスプレイパネルを支持して厚さ方向に沿って穿孔された貫通孔を含む背面構造物、貫通孔に挿入して、ディスプレイパネルを振動させる少なくとも一つの音響発生モジュールを含む振動発生装置、ディスプレイパネルと振動発生装置の間に介在して、振動発生装置の振動をディスプレイパネルに伝達する振動伝達部材、およびディスプレイパネルおよび背面構造物のいずれか一つに付着して振動発生装置の最大変位を制限する緩衝部材を含む。
【００１２】
本出願によるディスプレイ装置は、映像を表示するディスプレイパネル、ディスプレイパネルを支持し、厚さ方向に沿って穿孔された貫通孔を含む背面構造物、貫通孔に挿入してディスプレイパネルを振動させる少なくとも一つの音響発生モジュールを含む振動発生装置、ディスプレイパネルと振動発生装置の間に介在して、振動発生装置の振動をディスプレイパネルに伝達する振動伝達部材、およびディスプレイパネルに付着した第１緩衝部材、および背面構造物に付着した第２緩衝部材を含む振動発生装置の最大変位を制限する緩衝部材を含む。
【００１３】
その他の例の詳細な事項は、詳細な説明及び図に含まれている。
【発明の効果】
【００１４】
本出願によるディスプレイ装置は、音の進行方向がディスプレイパネルの前面になるように音響を発生させることができる。したがって、ディスプレイ装置の映像と音響の発生位置を一致させ、ディスプレイ装置の映像を視聴する視聴者の没入感を向上させることができる。
【００１５】
そして、本出願によるディスプレイ装置は、ディスプレイパネルと背面構造物のうちの少なくとも一つに付着して振動発生装置の最大変位を制限する緩衝部材を含むことにより、外部からの衝撃によって振動発生装置が損傷するのを防止することができる。
【００１６】
そして、本出願によるディスプレイ装置は、振動発生装置がディスプレイパネルを振動させる場合、振動発生装置と離隔し、ディスプレイパネルが外部からの衝撃を受けた場合、振動発生装置と接触する緩衝部材を含むことにより、外部からの衝撃によって振動発生装置が損傷するのを防止することができる。
【００１７】
そして、本出願によるディスプレイ装置は、ディスプレイパネルの領域以外にスピーカーが別途配置される空間を省略して、デザインの美感を向上させつつ、ディスプレイ装置の画質と音質を改善し、視聴者の没入感を向上させることができる。
【００１８】
本発明の効果は、以上で言及した効果に制限されず、言及していないまた他の効果は以下の記載から当業者に明確に理解され得るだろう。
【００１９】
以上で解決しようとする課題、課題解決手段、効果に記載した発明の内容が請求項の必須的な特徴を特定するものではなく、請求項の権利範囲は、発明の内容に記載された事項によって制限されない。
【図面の簡単な説明】
【００２０】
【図１】本出願の一例によるディスプレイ装置の斜視図である。
【図２】本出願の第１実施例に係る表示装置を示す背面図である。
【図３】図２の切断線Ｉ−Ｉ’に沿って切断した断面図である。
【図４】図４Ａおよび図４Ｂは、図３のＡ領域で、振動発生装置によって振動するディスプレイパネルを示す図である。
【図５】図３のＡ領域に、外部からの衝撃を受けたディスプレイ装置を示す図である。
【図６】本出願の第２実施例に係る表示装置を示す背面図である。
【図７】図６の切断線ＩＩ−ＩＩ’に沿って切断した断面図である。
【図８】図８Ａ及び図８Ｂは、図７のＡ領域で、振動発生装置によって振動するディスプレイパネルを示す図である。
【図９】図７のＡ領域に、外部からの衝撃を受けたディスプレイ装置を示す図である。
【図１０】本出願の第３実施例に係る表示装置を示す背面図である。
【図１１】図１０の切断線ＩＩＩ−ＩＩＩ’に沿って切断した断面図である。
【図１２】図１２Ａ及び図１２Ｂは、図１１のＡ領域で、振動発生装置によって振動するディスプレイパネルを示す図である。
【図１３】図１１のＡ領域に、外部からの衝撃を受けたディスプレイ装置を示す図である。
【図１４】本出願の第４実施例に係る表示装置を示す断面図である。
【図１５】図１５Ａ及び図１５Ｂは、図１４のＡ領域で、振動発生装置によって振動するディスプレイパネルを示す図である。
【図１６】図１４のＡ領域に、外部からの衝撃を受けたディスプレイ装置を示す図である。
【図１７】本出願の第５実施例に係る表示装置を示す断面図である。
【図１８】図１８Ａ及び図１８Ｂは、図１７のＡ領域で、振動発生装置によって振動するディスプレイパネルを示す図である。
【図１９】図１７のＡ領域に、外部からの衝撃を受けたディスプレイ装置を示す図である。
【発明を実施するための形態】
【００２１】
本出願の利点および特徴、そしてそれらを達成する方法は添付の図と共に詳細に後述されている例を参照すると明確になるだろう。しかし、本出願は、以下で開示される例に限定されるものではなく、異なる多様な形態で具現されるものであり、単に本例は、本出願の開示を完全にし、本出願が属する技術分野で通常の知識を有する者に発明の範疇を完全に知らせるために提供されるものであり、本出願は、請求項の範疇によってのみ定義される。
【００２２】
本出願の例を説明するための図に開示した形状、大きさ、比率、角度、数などは例示的なものなので、本出願は、図に示した事項に限定されるものではない。明細書全体にわたって同一参照符号は同一の構成要素を指す。また、本出願を説明するにおいて、関連する公知技術に対する詳細な説明が本出願の要旨を不必要に曖昧にすると判断された場合、その詳細な説明は省略する。本出願で言及した「含む」、「有する」、「からなる」などが使用されている場合は、「〜だけ」が使用されていない限り、他の部分が追加され得る。構成要素を単数表現の場合に特に明示的な記載事項がない限り、複数が含まれる場合を含む。
【００２３】
構成要素を解釈するに当たり、別途の明示的な記載がなくても誤差の範囲を含むものと解釈する。
【００２４】
位置関係の説明である場合には、例えば、「〜の上に」、「〜の上部に」、「〜の下部に」、「〜の隣に」など２つの部分の位置関係が説明されている場合は、「すぐに」または「直接」が使用されていない限り、二つの部分の間に一つ以上の他の部分が位置することもできる。
【００２５】
第１、第２などが多様な構成要素を記述するために使用されるが、これらの構成要素はこれらの用語によって制限されない。これらの用語は、ただ一つの構成要素を他の構成要素と区別するために使用されるものである。したがって、以下に記載されている第１構成要素は、本出願の技術的思想内で第２構成要素であることもある。
【００２６】
本出願の構成要素を説明するにあたって、第１、第２などの用語を使用することができる。これらの用語は、その構成要素を他の構成要素と区別するためのもので、その用語によって、その構成要素の本質、順序、順番または個数などが限定されない。一つの構成要素が他の構成要素に「連結」、「結合」または「接続」すると記載されている場合、その構成要素は、その他の構成要素に直接連結するか、または接続することができるが、各構成要素の間に他の構成要素が「介在」したり、各構成要素が他の構成要素を介して、「連結」、「結合」または「接続」することもできると理解されなければならない。
【００２７】
本出願で、「ディスプレイ装置」は、ディスプレイパネルと、ディスプレイパネルを駆動するための駆動部を含む液晶モジュール（Ｌｉｑｕｉｄ  Ｃｒｙｓｔａｌ  Ｍｏｄｕｌｅ；ＬＣＭ）、有機発光表示モジュール（ＯＬＥＤ  Ｍｏｄｕｌｅ）のような狭義のディスプレイ装置を含むことができる。そして、ＬＣＭ、ＯＬＥＤモジュールなどを含む完成品（ｃｏｍｐｌｅｔｅ  ｐｒｏｄｕｃｔまたはｆｉｎａｌ  ｐｒｏｄｕｃｔ）であるノートパソコン、テレビ、コンピュータモニタ、自動車用装置（ａｕｔｏｍｏｔｉｖｅ  ａｐｐａｒａｔｕｓ）または車両（ｖｅｈｉｃｌｅ）用の他の形態などを含む電装装置（ｅｑｕｉｐｍｅｎｔ  ａｐｐａｒａｔｕｓ）、スマートフォンや電子パッドなどのモバイル電子機器（ｍｏｂｉｌｅ  ｅｌｅｃｔｒｏｎｉｃ  ａｐｐａｒａｔｕｓ）などのようなセット電子装置（ｓｅｔ  ｅｌｅｃｔｒｏｎｉｃ  ａｐｐａｒａｔｕｓ）またはセット装置（ｓｅｔ  ｄｅｖｉｃｅまたはｓｅｔ  ａｐｐａｒａｔｕｓ）も含むことができる。
【００２８】
したがって、本出願でのディスプレイ装置は、ＬＣＭ、ＯＬＥＤモジュールなど狭義のディスプレイ装置自体、およびＬＣＭ、ＯＬＥＤモジュールなどを含む応用製品またはエンドユーザー用の装置であるセット装置までを含むことができる。
【００２９】
場合によっては、ディスプレイパネルと駆動部などで構成されるＬＣＭ、ＯＬＥＤモジュールを狭義の「ディスプレイ装置」として表現し、ＬＣＭ、ＯＬＥＤモジュールを含む完成品としての電子機器を「セット装置」として区別して表現することもできる。たとえば、狭義のディスプレイ装置は、液晶（ＬＣＤ）または有機発光（ＯＬＥＤ）のディスプレイパネルと、ディスプレイパネルを駆動するための制御部であるソースＰＣＢを含み、セット装置は、ソースＰＣＢに電気的に接続してセット装置全体を制御するセット制御部であるセットＰＣＢをさらに含む概念であり得る。
【００３０】
本例で使用されるディスプレイパネルは、液晶ディスプレイパネル、有機電界発光（ＯＬＥＤ：Ｏｒｇａｎｉｃ  Ｌｉｇｈｔ  Ｅｍｉｔｔｉｎｇ  Ｄｉｏｄｅ）ディスプレイパネル、および電界発光ディスプレイパネル（Ｅｌｅｃｔｒｏｌｕｍｉｎｅｓｃｅｎｔ  Ｄｉｓｐｌａｙ  Ｐａｎｅｌ）などのすべての形態のディスプレイパネルを使用することができ、本例の音響発生装置によって振動することによって音響を発生させることができる特定のディスプレイパネルに限定されるものではない。そして、本発明の例によるディスプレイ装置に使用されるディスプレイパネルは、ディスプレイパネルの形態や大きさに限定されない。
【００３１】
例えば、ディスプレイパネルが液晶ディスプレイパネルの場合には、多数のゲートラインとデータライン、およびゲートラインとデータラインの交差領域に形成されるピクセル（Ｐｉｘｅｌ）を含む。そして、各ピクセルでの光透過度を調節するためのスイッチング素子である薄膜トランジスタを含むアレイ基板と、カラーフィルタおよび／またはブラックマトリックスなどを備えた上部基板と、アレイ基板および上部基板の間に形成される液晶層を含んで構成され得る。
【００３２】
そして、ディスプレイパネルが有機電界発光（ＯＬＥＤ）ディスプレイパネルの場合には、多数のゲートラインとデータライン、およびゲートラインとデータラインの交差領域に形成されるピクセル（Ｐｉｘｅｌ）を含むことができる。そして、各ピクセルに選択的に電圧を印加するための素子である薄膜トランジスタを含むアレイ基板と、アレイ基板上の有機発光素子（ＯＬＥＤ）の層、および有機発光素子層を覆うように、アレイ基板上に配置される封止基板またはカプセル化（Ｅｎｃａｐｓｕｌａｔｉｏｎ）基板などを含んで構成することができる。封止基板は、外部の衝撃から薄膜トランジスタと有機発光素子層などを保護し、有機発光素子層に水分や酸素が侵入することを防止することができる。そして、アレイ基板上に形成される層は、無機発光層（ｉｎｏｒｇａｎｉｃ  ｌｉｇｈｔ  ｅｍｉｔｔｉｎｇ  ｌａｙｅｒ）、例えば、ナノサイズの物質層（ｎａｎｏ−ｓｉｚｅｄ  ｍａｔｅｒｉａｌ  ｌａｙｅｒ）または量子ドット（ｑｕａｎｔｕｍ  ｄｏｔ）などを含むことができる。
【００３３】
本出願のいくつかの例のそれぞれの特徴は、部分的または全体的に互いに結合または組み合わせ可能で、技術的に様々な連動および駆動が可能であり、それぞれの例が互いに独立して実施可能であり得、連関の関係で一緒に実施することもできる。
【００３４】
以下、添付した図および例を通じて、本出願の実施例を詳しく見ることにする。
【００３５】
図１は、本出願の一例によるディスプレイ装置の斜視図である。図２は、本出願の第１実施例に係る表示装置を示す背面図であり、図３は図２の切断線Ｉ−Ｉ’に沿って切断した断面図である。図４ａおよび図４ｂは、図３のＡ領域で、振動発生装置によって振動するディスプレイパネルを示す図であり、図５は、図３のＡ領域に、外部からの衝撃を受けたディスプレイ装置を示す図である。
【００３６】
図１〜図５を参照すると、ディスプレイ装置は、ディスプレイパネル１００、背面構造物２００、振動発生装置３００、緩衝部材４００、パーティション部材５００、振動伝達部材６００、および接着部材７００を含む。
【００３７】
ディスプレイパネル１００は、映像を表示するもので、液晶ディスプレイパネル、有機電界発光（ＯＬＥＤ：Ｏｒｇａｎｉｃ  Ｌｉｇｈｔ  Ｅｍｉｔｔｉｎｇ  Ｄｉｏｄｅ）ディスプレイパネル、および電界発光ディスプレイパネル（Ｅｌｅｃｔｒｏｌｕｍｉｎｅｓｃｅｎｔ  Ｄｉｓｐｌａｙ  Ｐａｎｅｌ）などのすべての形態のディスプレイパネルに具現することができる。
【００３８】
ディスプレイパネル１００は、映像データに基づいて映像を表示するピクセルアレイを含むことができる。ピクセルアレイは、データラインとゲートラインが交差することができ、複数のピクセルがマトリックス形態に配置され得る。複数のピクセルの各々は、カラー具現のために赤色サブピクセル、緑色サブピクセル、および青色サブピクセルを含むことができる。そして、複数の画素の各々は、白色サブピクセルをさらに含むことができる。
【００３９】
背面構造物２００は、ディスプレイパネル１００の背面に配置してディスプレイパネル１００を支持することができる。ここで、ディスプレイパネル１００の前面（Ｆｒｏｎｔ  Ｓｕｒｆａｃｅ）は、映像を表示する面に該当し、ディスプレイパネル１００の背面は、前面の反対面に該当し得る。例えば、背面構造物２００は、ディスプレイパネル１００と離隔するように配置され、背面構造物２００に配置される振動発生装置３００を支持することができる。
【００４０】
背面構造物２００は、ディスプレイパネル１００の背面全体から離隔して覆うもので、ガラス材質、金属材質、またはプラスチック材料からなる平板形態を有することができる。ここで、背面構造物２００の端または鋭い角部分は面取り工程または角丸め工程によって斜面形態または曲面形態を有することができる。一例によると、ガラス材質の背面構造物２００は、サファイアガラス（Ｓａｐｐｈｉｒｅ  Ｇｌａｓｓ）を含むことができる。例えば、金属材料の背面構造物２００は、アルミニウム、アルミニウム合金、マグネシウム合金、および鉄とニッケルの合金のいずれかの材質からなることができる。別の例では、背面構造物２００は、金属板およびガラス板より相対的に薄い厚さを有しながら、ディスプレイパネル１００の背面と向き合うガラスプレートの積層構造を有することができ、この場合、ディスプレイ装置の背面は金属板によって鏡面に使用することもできる。
【００４１】
背面構造物２００は、振動発生装置３００が挿入される貫通孔２１０を含むことができる。例えば、貫通孔２１０は、振動発生装置３００を挿入するため、背面構造物２００の厚さ方向に沿って背面構造物２００の設定された一部の領域に円形または多角形を有するように穿孔することができる。
【００４２】
振動発生装置３００は、貫通孔２１０に挿入してディスプレイパネル１００を振動させることができる。詳細には、振動発生装置３００は、背面構造物２００に固定して振動することができ、振動伝達部材６００を介してディスプレイパネル１００に振動を伝えることができる。これにより、振動発生装置３００は、背面構造物２００を支持台にして映像と関連音響信号に対応する振動信号に基づいて振動して、振動伝達部材６００を振動させることができ、ディスプレイパネル１００は、振動伝達部材６００の振動の伝達を受けて前方（ＦＤ）に音響（ＳＷ）を出力させることができる。したがって、ディスプレイ装置は、振動伝達部材６００を介して振動するディスプレイパネル１００を音響装置の振動板として使用して、ディスプレイパネル１００の後方と下方ではなく、前方に音響を出力することにより、ディスプレイ装置の映像と音響の発生位置を一致させ、ディスプレイ装置の映像を視聴する視聴者の没入感を向上させることができる。
【００４３】
振動発生装置３００は、背面構造物２００の貫通孔２１０に挿入して背面構造物２００の前面（Ｆｒｏｎｔ  Ｓｕｒｆａｃｅ）または背面に突出しないように配置することができる。つまり、振動発生装置３００は、背面構造物２００の前面（Ｆｒｏｎｔ  Ｓｕｒｆａｃｅ）または背面に突出しないので、ディスプレイ装置の厚さを減少させることができる。一例によると、振動発生装置３００は、ポリビニリデンフルオライドホモポリマー（ＰＶＤＦ  Ｈｏｍｏｐｏｌｙｍｅｒ）、ポリビニリデンフルオライドコポリマー（ＰＶＤＦ  Ｃｏｐｏｌｙｍｅｒ）、ポリビニリデンフルオライドターポリマー（ＰＶＤＦ  Ｔｅｒｐｏｌｙｍｅｒ）、シアノポリマー（Ｃｙａｎｏ−ｐｏｌｙｍｅｒ）、シアノコポリマー（Ｃｙａｎｏ−ｃｏｐｏｌｙｍｅｒ）、ボロンナイトライドポリマー（ＢＮ  ｐｏｌｙｍｅｒ）のうちの少なくとも一つを含むピエゾポリマー（Ｐｉｅｚｏｐｏｌｙｍｅｒ）からなり得るが、これに限定されるものではない。ここで、ポリビニリデンフルオライドコポリマー（ＰＶＤＦ  Ｃｏｐｏｌｙｍｅｒ）は、例えば、ＰＶＤＦ−ＴｒＦＥ、ＰＶＤＦ−ＴＦＥ、ＰＶＤＦ−ＣＴＦＥ、ＰＶＤＦ−ＣＦＥなどであり得、これに限定されるものではない。そして、ポリビニリデンフルオライドターポリマー（ＰＶＤＦ  Ｔｅｒｐｏｌｙｍｅｒ）はＰＶＤＦ−ＴｒＦｅ−ＣＦＥ、ＰＶＤＦ−ＴｒＦＥ−ＣＴＦＥなどであり得、これに限定されるものではない。そして、シアノコポリマー（Ｃｙａｎｏ−ｃｏｐｏｌｙｍｅｒ）はＰＶＤＣＮ−ｖｉｎｙｌ  ａｃｅｔａｔｅ、ＰＶＤＣＮ−ｖｉｎｙｌ  ｐｒｏｐｉｏｎａｔｅなどであり得、これに限定されるものではない。そして、ボロンナイトライドポリマー（ＢＮ  ｐｏｌｙｍｅｒ）はＰｏｌｙａｍｉｎｏｂｏｒａｎ、Ｐｏｌｙａｍｉｎｏｄｉｆｌｕｏｒｏｂｏｒａｎなどであり得、これに限定されるものではない。
【００４４】
一例によると、ディスプレイ装置は、振動発生装置３００の背面を覆うカバー部材（不図示）をさらに含むことができる。ここで、カバー部材は、背面構造物２００の背面から突出しないことがあり得るが、必ずしもこれに限定されるものではない。
【００４５】
一例によると、振動発生装置３００は、ディスプレイパネル１００の異なる領域を振動させる第１及び第２音響発生モジュール３１０、３２０を含むことができる。例えば、第１および第２音響発生モジュール３１０、３２０のそれぞれは、背面構造物２００を介して固定され、互いに離隔するように配置することができる。例えば、ディスプレイパネル１００は、左側の領域と右側の領域を含むことができ、第１音響発生モジュール３１０は、ディスプレイパネル１００の左側の領域に重畳し、第２音響発生モジュール３２０はディスプレイパネル１００の右側の領域に重畳することができる。したがって、第１音響発生モジュール３１０は、ディスプレイパネル１００背面の左側に配置されてディスプレイパネル１００の左側の領域を振動させ、第２音響発生モジュール３２０は、ディスプレイパネル１００背面の右側に配置されてディスプレイパネル１００の右側の領域を振動させることができる。第１および第２音響発生モジュール３１０、３２０のそれぞれは、異なる振動信号を受信して独立して駆動することができる。例えば、第１音響発生モジュール３１０は、ディスプレイパネル１００の左側の領域を振動板として使用することにより、音響を発生させ、第２音響発生モジュール３２０は、ディスプレイパネル１００の右側の領域を振動板として使用することにより、音響を発生させることができる。
【００４６】
一例によると、振動発生装置３００は、スピーカー（ｓｐｅａｋｅｒ）として、音響アクチュエータ（Ｓｏｕｎｄ  Ａｃｔｕａｔｏｒ）、音響励振器（Ｓｏｕｎｄ  Ｅｘｃｉｔｅｒ）、または圧電素子であり得るが、これに限定されず、電気的信号によって音響を出力する音響機器であり得る。
【００４７】
緩衝部材４００は、ディスプレイパネル１００に付着して、振動発生装置３００の最大変位を制限することができる。詳細には、緩衝部材４００は、背面構造物２００と向き合うディスプレイパネル１００の一面に付着し、振動伝達部材６００から離隔して囲むことができる。例えば、緩衝部材４００は、ディスプレイパネル１００の背面に付着することができる。ここで、ディスプレイパネル１００の前面（Ｆｒｏｎｔ  Ｓｕｒｆａｃｅ）は、映像を表示する面に該当し、ディスプレイパネル１００の背面は、前面の反対面に該当し得る。
【００４８】
緩衝部材４００は、背面構造物２００の貫通孔２１０と重畳しないが、貫通孔２１０と隣接する領域に配置することができる。一例によると、緩衝部材４００は、貫通孔２１０と最大限隣接し、パーティション部材５００と最大限離隔するように配置することができる。例えば、緩衝部材４００は、ディスプレイパネル１００に付着して、背面構造物２００と離隔し、パーティション部材５００は、ディスプレイパネル１００と背面構造物２００の間に介在するため、、緩衝部材４００は、パーティション部材５００と離隔するほど、外部からの衝撃が発生したとき貫通孔２１０に挿入された振動発生装置３００の最大変位を制限することができる。
【００４９】
一例によると、緩衝部材４００は、振動伝達部材６００を基準に、互いに対称になるように配置することができる。例えば、緩衝部材４００は、振動伝達部材６００の左右側、上下側、または上下左右側のように、振動伝達部材６００を基準に、互いに対称になるように配置することができる。つまり、振動伝達部材６００は、貫通孔２１０または音響発生モジュール３１０の中心部と重畳し、緩衝部材４００は、貫通孔２１０または音響発生モジュール３１０と隣接するように配置することで、緩衝部材４００は、振動伝達部材６００から離隔して囲むことができる。
【００５０】
緩衝部材４００の厚さは、ディスプレイパネル１００と背面構造物２００の間に介在するパーティション部材５００の厚さよりも薄いことがあり得る。ここで、緩衝部材４００およびパーティション部材５００それぞれの厚さは、ディスプレイパネル１００および背面構造物２００それぞれの厚さと同じ方向に測定することができる。一例によると、緩衝部材４００は、振動発生装置３００が、ディスプレイパネル１００を振動させる場合、背面構造物２００と離隔し、ディスプレイパネル１００が外部からの衝撃を受けた場合、背面構造物２００と接触することができる。詳細には、ディスプレイパネル１００と背面構造物２００間に介在したパーティション部材５００の高さはディスプレイパネル１００の背面に付着した緩衝部材４００の高さよりも高いことがあり得る。また、ディスプレイパネル１００の振動による変位は、緩衝部材４００と背面構造物２００の間の距離よりも小さいことがあり得る。
【００５１】
例えば、図４ａおよび図４ｂに示すように、振動発生装置３００が振動伝達部材６００を介してディスプレイパネル１００を振動させて音響（ＳＷ）を出力する場合、ディスプレイパネル１００に付着した緩衝部材４００は、ディスプレイパネル１００と一体に振動することができる。ここで、ディスプレイパネル１００の振動による変位は、緩衝部材４００と背面構造物２００の間の距離よりも小さいので、緩衝部材４００が、ディスプレイパネル１００と一体に振動しても、緩衝部材４００は、背面構造物２００と接触しないことがあり得る。
【００５２】
しかし、図５のように、ディスプレイパネル１００が外部からの衝撃を受けた場合、ディスプレイパネル１００の変位は、振動による変位よりも増加し得、緩衝部材４００は、背面構造物２００と接触して振動発生装置３００の最大変位を制限したり、定義することができる。万一、緩衝部材４００を含んでいないディスプレイ装置が外部からの衝撃を受けた場合、外部からの衝撃が振動発生装置３００まで、そのまま伝達され、振動発生装置３００が破損し得る。したがって、本出願による緩衝部材４００は、ディスプレイパネル１００が外部からの衝撃を受けても振動発生装置３００の最大変位を制限したり、定義することにより、振動発生装置３００が損傷、または破損することを防止することができる。
【００５３】
一例によると、緩衝部材４００は、パーティション部材５００よりも高い弾性力を有することができる。たとえば、パーティション部材５００は、複数の音響出力モジュール３１０、３２０それぞれから発生する音響の干渉を防止するために、ディスプレイパネル１００と背面構造物２００の間に介在し、緩衝部材４００は、ディスプレイパネル１００が外部からの衝撃を受けたとき、振動発生装置３００の最大変位を制限したり、定義するためにディスプレイパネル１００の背面に付着することができる。したがって、緩衝部材４００は、パーティション部材５００と離隔するほど、外部からの衝撃が発生したとき貫通孔２１０に挿入された振動発生装置３００の最大変位を制限したり、定義することができる。
【００５４】
一例によると、緩衝部材４００は、振動伝達部材６００よりも高い弾性力を有することができる。例えば、振動伝達部材６００は、振動発生装置３００から発生する振動をディスプレイパネル１００に伝達するためにディスプレイパネル１００と振動発生装置３００の間に介在し、緩衝部材４００は、ディスプレイパネル１００が外部からの衝撃を受けたとき、振動発生装置３００の最大変位を制限したり、定義するためにディスプレイパネル１００の背面に付着することができる。したがって、緩衝部材４００は、ディスプレイパネル１００が受けた外部からの衝撃が振動伝達部材６００を介して振動発生装置３００にすべて伝達されることを防止することにより、貫通孔２１０に挿入された振動発生装置３００の最大変位を制限したり、定義することができる。
【００５５】
パーティション部材５００は、ディスプレイパネル１００と背面構造物２００の間に介在し、複数の音響発生モジュール３１０、３２０それぞれから離隔して囲むことができる。このようなパーティション部材５００は、複数の音響出力モジュール３１０、３２０それぞれから発生した音響が漏洩することを防止したり、減少させ、音響（ＳＷ）をディスプレイパネル１００の前方（ＦＤ）にのみ出力させることで、音響出力特性を向上させることができる。
【００５６】
一例によると、パーティション部材５００は、第１〜第３パーティション部材５１０、５２０、５３０を含むことができる。例えば、ディスプレイパネル１００は、左側領域、右側領域および中央領域を含むことができる。ここで、第１パーティション部材５１０は、ディスプレイパネル１００の左側領域を囲み、第２パーティション部材５２０は、ディスプレイパネル１００の右側領域を囲み、第３パーティション部材５３０は、ディスプレイパネル１００の中央領域を囲むことができる。例えば、第１パーティション部材５１０または第２パーティション部材５２０は、ディスプレイパネル１００の左側領域または右側領域外郭の四辺に沿って配置することができ、第３パーティション部材５３０は、第１および第２パーティション部材５１０、５２０の間に配置することができる。第１〜第３パーティション部材５１０、５２０、５３０のそれぞれは、ディスプレイパネル１００の各側面から音響が漏洩することを防止または減少させることで、音響（ＳＷ）がディスプレイパネル１００の前方（ＦＤ）のみに出力するようにして、音響出力特性を向上させることができる。
【００５７】
第１および第２パーティション部材５１０、５２０のそれぞれは、４つの辺を含むことができ、第３パーティション部材５３０は、２つの辺を含むことができる。例えば、第１パーティション部材５１０は、第１〜第４辺５１１、５１２、５１３、５１４を含み、第２パーティション部材５２０は、第１〜第４辺５２１、５２２、５２３、５２４を含み、第３パーティション部材５３０は、第１及び第２辺５３１、５３２を含むことができる。そして、第３パーティション部材５３０の第１および第２辺５３１、５３２は、図２のように、曲がった形態であり得、直線状またはラウンド形状であり得るが、これに限定されるものではない。ここで、第１パーティション部材５１０の第１〜第４辺５１１、５１２、５１３、５１４と第２パーティション部材５２０の第１〜第４辺５２１、５２２、５２３、５２４それぞれは、ディスプレイパネル１００の左側領域または右側領域に配置されているという違いだけが存在するので、第１パーティション部材５１０の第１〜第４辺５１１、５１２、５１３、５１４の技術的特徴と同じ第２パーティション部材５２０の第１〜第４辺５２１、５２２、５２３、５２４の技術的特徴に対する記載は省略することにする。
【００５８】
一例によると、パーティション部材５００は、４つの辺のうち少なくとも一つの辺に設けられたベント部を含むことができる。例えば、第１パーティション部材５１０の第２辺５１２及び第４辺５１４それぞれは、ベント部５１２−１、５１４−１を含むことができる。したがって、ディスプレイパネル１００の左側領域を囲む４つの辺のうち、上下の二つの辺５１２、５１４は、ディスプレイパネル１００の水平方向（または横方向）に対して一定の傾斜角（θ）を有するようにベント部を含むことができる。ベント部５１２−１は、二つの直線部で構成され、二つの直線部が出会う場所で形成され得る。また、ベント部５１２−１は、直線形態、曲線形態またはラウンド形態で構成することができ、前記の形態に限定されない。
【００５９】
一例によると、ベント部５１２−１の傾斜角（θ）は、定在波の抑制の必要量によって異なることができ、ベント部５１２−１の傾斜角（θ）は１０度〜３０度に可変して設定することができる。例えば、音響出力領域が低音域帯の場合、または音響発生モジュールの出力が大きい場合には、ベント部５１２−１の傾斜角（θ）を大きくすることができる。または、音声出力領域が高音域帯のための場合や、または音響発生モジュールの出力が小さい場合には、ベント部５１２−１の傾斜角（θ）を小さくすることができる。
【００６０】
一例によると、ベント部５１２−１は、ディスプレイパネル１００と背面構造物２００の間の音圧の減少を防止することができる。たとえば、振動発生装置３００によってディスプレイパネル１００が振動して発生する音波は、振動発生装置３００の中央から放射状に広がって進行することができる。この音波を進行波（Ｐｒｏｇｒｅｓｓｉｖｅ  ｗａｖｅ）とすることができる。進行波がパーティション部材５００の一辺で出会う場合、パーティション部材５００の一辺で反射して、進行波と逆方向に進行する反射波（Ｒｅｆｌｅｃｔｅｄ  ｗａｖｅ）が形成され得る。反射波は、進行波と重畳または相殺されて、音波が進行できないで一定の位置に停滞している定在波（Ｓｔａｎｄｉｎｇ  ｗａｖｅ）を形成することができる。ここで、定在波は音圧を減少させ、音響出力特性を低下させ得る。したがって、反射波と進行波の干渉によって発生する定在波による音圧の減少を減らすために、パーティション部材５００は、ベント部（Ｂｅｎｔ  ｐｏｒｔｉｏｎ）を形成し得る。また、音圧の減少を引き起こす定在波は進行波と反射波の大きさが大きい地点で多く発生し得る。したがって、ベント部５１２−１は、振動発生装置３００から到達する音波が最も大きい位置に配置することができる。一例によると、ベント部５１２−１は、振動発生装置３００に向かってベントすることができる。
【００６１】
一例によると、第１〜第３パーティション部材５１０、５２０、５３０は、一定の厚さ（または高さ）と幅を有するポリウレタン（Ｐｏｌｙｕｒｅｔｈａｎｅ）またはポリオレフィン（Ｐｏｌｙｏｌｅｆｉｎ）材質の両面テープまたは片面テープなどで具現することができるが、これに限定されるものではない。そして、第１〜第３パーティション部材５１０、５２０、５３０は、一定程度圧縮することができる弾性を有することができ、エンクロージャー（Ｅｎｃｌｏｓｕｒｅ）またはバッフル（Ｂａｆｆｌｅ）などの他の用語で表現することができる。
【００６２】
振動伝達部材６００は、ディスプレイパネル１００および振動発生装置３００の間に介在することができる。詳細には、振動伝達部材６００は、振動発生装置３００から発生した振動をディスプレイパネル１００に伝達することができる。たとえば、振動発生装置３００で発生した振動は、振動伝達部材６００およびディスプレイパネル１００を介して一直線に伝達され、音響（ＳＷ）をディスプレイパネル１００の前方（ＦＤ）に出力することができる。したがって、振動伝達部材６００は、ディスプレイパネル１００から離隔した振動発生装置３００で発生した振動を直接ディスプレイパネル１００に伝達することができる。言い換えると、ディスプレイ装置は、振動発生装置３００をディスプレイパネル１００に直接付着する代わりに、振動伝達部材６００を介して振動発生装置３００をディスプレイパネル１００に連結させることで、振動発生装置３００の信頼性を確保することができる。ここで、振動伝達部材６００は、振動伝達特性に優れた物質を含むことにより、振動の伝達方向をガイドすることができ、音圧レベル（ＳＰＬ，  Ｓｏｕｎｄ  Ｐｒｅｓｓｕｒｅ  Ｌｅｖｅｌ）の損失を最小限に抑えることができる。したがって、振動伝達部材６００は、振動発生装置３００で発生した振動をディスプレイパネル１００に伝達することにより、音圧レベル（ＳＰＬ）の減少を防止し、全周波数領域で音圧レベル（ＳＰＬ）の平坦度を向上させ、音響の明瞭性を向上させることができる。
【００６３】
一例によると、振動伝達部材６００は、弾性が高い物質を含むディスプレイパネル１００および背面構造物２００より振動伝達特性が優れるように具現することができる。例えば、振動伝達部材６００は、アルミニウム（Ａｌ）、銅（Ｃｕ）、ステンレス（Ｓｔａｉｎｌｅｓｓ）などの振動伝達特性が優れた金属であるかまたは、強化プラスチック化合物であり得る。したがって、振動伝達部材６００は、ディスプレイパネル１００および背面構造物２００より振動伝達特性が優れるように具現することで、振動発生装置３００から発生した振動の経路を誘導することができ、ディスプレイパネル１００の前方に出力される音圧レベル（ＳＰＬ）の減少を防止することができる。そして、振動伝達部材６００は、全周波数領域で音圧レベルの平坦度を向上させることができる。
【００６４】
接着部材７００は、ディスプレイパネル１００の端および背面構造物２００の端との間に配置され、ディスプレイパネル１００および背面構造物２００を接着させることができる。詳細には、接着部材７００は、一定の厚さ（または高さ）を有するように、ディスプレイパネル１００と背面構造物２００の間に介在することができ、４辺密閉型または閉ループ形態のシーリング構造を有することができる。接着部材７００は、ディスプレイパネル１００の背面の端と背面構造物２００の前面の端の間に設けられ、背面構造物２００をディスプレイパネル１００の背面に結合させることで、ディスプレイパネル１００の背面と背面構造物２００の前面の間にギャップ空間を設けることができる。ここで、ギャップ空間は、振動発生装置３００の駆動に伴うディスプレイパネル１００の振動のための空間として使用することができる。また、ディスプレイパネル１００と背面構造物２００の間に形成されるギャップ空間は、ディスプレイパネル１００の光の偏り現象を防止したり減少させることにより、ディスプレイ装置の光輝度均一性を向上させることができる。
【００６５】
一例によると、接着部材７００は、アクリル系の材質を含むフォームパッド、およびフォームパッドの前面と背面のそれぞれに設けられた接着層を含むことができる。
【００６６】
一例によると、接着部材７００は、光透過接着レジン（Ｏｐｔｉｃａｌｌｙ  Ｃｌｅａｒ  Ｒｅｓｉｎ，  ＯＣＲ）、光透過接着剤（Ｏｐｔｉｃａｌｌｙ  Ｃｌｅａｒ  Ａｄｈｅｓｉｖｅ，  ＯＣＡ）または両面テープ（Ｄｏｕｂｌｅ−ｓｉｄｅｄ  Ｔａｐｅ）であり得る。
【００６７】
図６は、本出願の第２実施例に係る表示装置を示す背面図であり、図７は、図６の切断線ＩＩ−ＩＩ’に沿って切断した断面図である。図８ａ及び図８ｂは、図７のＡ領域で、振動発生装置によって振動するディスプレイパネルを示す図であり、図９は、図７のＡ領域で、外部からの衝撃を受けたディスプレイ装置を示す図である。ここで、本出願の第２実施例は、第１実施例と緩衝部材４００の構成を異にするものであり、前述した構成と同一の構成は、簡単に説明したり、省略することにする。
【００６８】
図６〜図９を参照すると、緩衝部材４００は、背面構造物２００に付着して、振動発生装置３００の最大変位を制限したり、定義することができる。詳細には、緩衝部材４００は、ディスプレイパネル１００と向き合う背面構造物２００の一面に付着し、振動伝達部材６００から離隔して囲むことができる。例えば、緩衝部材４００は、背面構造物２００の前面（Ｆｒｏｎｔ  Ｓｕｒｆａｃｅ）に付着することができる。ここで、背面構造物２００の前面（Ｆｒｏｎｔ  Ｓｕｒｆａｃｅ）は、ディスプレイパネル１００と向き合う一面に該当することができる。
【００６９】
緩衝部材４００は、背面構造物２００の貫通孔２１０と隣接する領域に配置することができる。一例によると、緩衝部材４００は、貫通孔２１０と最大限に隣接して、パーティション部材５００と最大限に離隔するように配置することができる。例えば、緩衝部材４００は、背面構造物２００に付着し、ディスプレイパネル１００と離隔し、パーティション部材５００は、ディスプレイパネル１００と背面構造物２００の間に介在するため、緩衝部材４００は、パーティション部材５００と離隔するほど、外部からの衝撃が発生したとき貫通孔２１０に挿入された振動発生装置３００の最大変位を制限したり、定義することができる。
【００７０】
一例によると、緩衝部材４００は、振動伝達部材６００を基準に互いに対称になるように配置することができる。例えば、緩衝部材４００は、振動伝達部材６００の左右側、上下側、または上下左右側のように、振動伝達部材６００を基準に、互いに対称になるように配置することができる。つまり、振動伝達部材６００は、貫通孔２１０または音響発生モジュール３１０の中心部と重畳し、緩衝部材４００は貫通孔２１０または音響発生モジュール３１０と隣接するように配置することで、緩衝部材４００は、振動伝達部材６００から離隔して囲むことができる。
【００７１】
緩衝部材４００の厚さは、ディスプレイパネル１００と背面構造物２００の間に介在したパーティション部材５００の厚さよりも薄いことがあり得る。ここで、緩衝部材４００およびパーティション部材５００それぞれの厚さは、ディスプレイパネル１００および背面構造物２００それぞれの厚さと同じ方向に測定することができる。一例によると、緩衝部材４００は、振動発生装置３００が、ディスプレイパネル１００を振動させる場合、ディスプレイパネル１００と離隔し、ディスプレイパネル１００が外部からの衝撃を受けた場合、ディスプレイパネル１００と接触することができる。詳細には、ディスプレイパネル１００と背面構造物２００の間に介在したパーティション部材５００の高さは、ディスプレイパネル１００の背面に付着した緩衝部材４００の高さよりも高くなり得る。また、ディスプレイパネル１００の振動による変位は、緩衝部材４００とディスプレイパネル１００間の距離よりも小さいことがあり得る。
【００７２】
例えば、図８ａ及び図８ｂのように、振動発生装置３００は、振動伝達部材６００を介してディスプレイパネル１００を振動させて音響（ＳＷ）を出力することができる。ここで、ディスプレイパネル１００の振動による変位は、緩衝部材４００とディスプレイパネル１００の間の距離よりも小さいので、ディスプレイパネル１００が音響（ＳＷ）を出力するために振動しても、緩衝部材４００は、ディスプレイパネル１００と接触しないことがあり得る。
【００７３】
しかし、図９のように、ディスプレイパネル１００が外部からの衝撃を受けた場合、ディスプレイパネル１００の変位は、振動による変位よりも増加し得、緩衝部材４００は、ディスプレイパネル１００と接触して振動発生装置３００の最大変位を制限したり、定義することができる。万一、緩衝部材４００を含んでいないディスプレイ装置が外部からの衝撃を受けた場合、外部からの衝撃が振動発生装置３００まで、そのまま伝達され、振動発生装置３００が破損し得る。したがって、本出願による緩衝部材４００は、ディスプレイパネル１００が外部からの衝撃を受けても振動発生装置３００の最大変位を制限したり、定義することにより、振動発生装置３００が損傷、または破損することを防止または減少させることができる。
【００７４】
一例によると、緩衝部材４００は、パーティション部材５００よりも高い弾性力を有することができる。たとえば、パーティション部材５００は、複数の音響出力モジュール３１０、３２０のそれぞれから発生する音響間の干渉を防止したり、減少させるためにディスプレイパネル１００と背面構造物２００の間に介在し、緩衝部材４００は、ディスプレイパネル１００が外部からの衝撃を受けたとき、振動発生装置３００の最大変位を制限したり、定義するために、背面構造物２００の前面（Ｆｒｏｎｔ  Ｓｕｒｆａｃｅ）に付着することができる。したがって、緩衝部材４００は、パーティション部材５００と離隔するほど、外部からの衝撃が発生したとき貫通孔２１０に挿入された振動発生装置３００の最大変位を制限したり、定義することができる。
【００７５】
一例によると、緩衝部材４００は、振動伝達部材６００よりも高い弾性力を有することができる。例えば、振動伝達部材６００は、複数の音響出力モジュール３１０、３２０それぞれによって発生する音響間の干渉を防止するために、背面構造物２００とディスプレイパネル１００の間に配置され、緩衝部材４００は、ディスプレイパネル１００が外部からの衝撃を受けたとき、振動発生装置３００の最大変位を制限したり、定義するために背面構造物２００の前面（Ｆｒｏｎｔ  Ｓｕｒｆａｃｅ）に付着することができる。したがって、緩衝部材４００は、ディスプレイパネル１００が受けた外部からの衝撃が振動伝達部材６００を介して振動発生装置３００にすべて伝達されることを防止したり減少させることで、貫通孔２１０に挿入された振動発生装置３００の最大変位を制限したり、定義することができる。
【００７６】
図１０は、本出願の第３実施例に係る表示装置を示す背面図であり、図１１は図１０の切断線ＩＩＩ−ＩＩＩ’に沿って切断した断面図である。図１２ａ及び図１２ｂは、図１１のＡ領域で、振動発生装置によって振動するディスプレイパネルを示す図であり、図１３は、図１１のＡ領域で、外部からの衝撃を受けたディスプレイ装置を示す図である。ここで、本出願の第３実施例は、第１及び第２実施例と緩衝部材４００の構成を異にするものであり、前述した構成と同一の構成は、簡単に説明したり、省略することにする。
【００７７】
図１０〜図１３を参照すると、緩衝部材４００は、背面構造物２００に付着して、振動発生装置３００の最大変位を制限したり、定義することができる。詳細には、緩衝部材４００は、ディスプレイパネル１００と向き合う背面構造物２００の一面と反対の一面に付着し、貫通孔２１０、振動発生装置３００、および振動伝達部材６００のそれぞれと、重畳するように配置することができる。例えば、緩衝部材４００は、背面構造物２００の背面に付着することができる。ここで、背面構造物２００の背面は、ディスプレイパネル１００と向き合う一面と反対の一面に該当することができる。
【００７８】
一例によると、緩衝部材４００は、垂直部４００ａと、水平部４００ｂを含むことができる。
【００７９】
緩衝部材４００の垂直部４００ａは、背面構造物２００の背面に付着することができる。詳細には、垂直部４００ａは、貫通孔２１０と隣接する領域に配置して貫通孔２１０と、重畳する垂直部４００ａを支持することができる。例えば、垂直部４００ａは、背面構造物２００の背面からディスプレイ装置の後方に延長され、水平部４００ｂを支持することができる。
【００８０】
緩衝部材４００の水平部４００ｂは、貫通孔２１０および振動発生装置３００のそれぞれと重畳し、振動発生装置３００と並んで配置することができる。水平部４００ｂは、振動発生装置３００と並んで配置することで、ディスプレイパネル１００が外部からの衝撃を受けた場合、振動発生装置３００と直接接触して振動発生装置３００の最大変位を制限または定義することができる。
【００８１】
緩衝部材４００の水平部４００ｂは、振動伝達部材６００と、重畳するように配置することができる。例えば、振動伝達部材６００は、振動発生装置３００の前面（Ｆｒｏｎｔ  Ｓｕｒｆａｃｅ）に連結され、緩衝部材４００の水平部４００ｂは、振動発生装置３００の背面と所定距離、離隔することができる。
【００８２】
緩衝部材４００の水平部４００ｂと振動発生装置３００の間の距離は、ディスプレイパネル１００と背面構造物２００の間に介在したパーティション部材５００の厚さよりも薄いことがあり得る。ここで、緩衝部材４００およびパーティション部材５００それぞれの厚さは、ディスプレイパネル１００および背面構造物２００それぞれの厚さと同じ方向に測定することができる。一例によると、緩衝部材４００の水平部４００ｂは、振動発生装置３００が、ディスプレイパネル１００を振動させる場合、振動発生装置３００と離隔し、ディスプレイパネル１００が、外部衝撃を受けた場合、振動発生装置３００と接触することができる。詳細には、ディスプレイパネル１００と背面構造物２００の間に介在したパーティション部材５００の高さは緩衝部材４００の垂直部４００ａの高さよりも高くなり得る。そして、振動発生装置３００の振動による変位は、緩衝部材４００の水平部４００ｂと振動発生装置３００の間の距離よりも小さいことがあり得る。
【００８３】
例えば、図１２ａ及び図１２ｂのように、振動発生装置３００は、振動伝達部材６００を介してディスプレイパネル１００を振動させて音響（ＳＷ）を出力することができる。ここで、振動発生装置３００の振動による変位は、緩衝部材４００の水平部４００ｂと振動発生装置３００の間の距離よりも小さいので、振動発生装置３００が音響（ＳＷ）を出力するために振動しても、緩衝部材４００の水平部４００ｂは、振動発生装置３００と接触しないことがあり得る。
【００８４】
しかし、図１３のように、ディスプレイパネル１００が外部からの衝撃を受けた場合、振動発生装置３００の変位は、振動による変位よりも増加し得、緩衝部材４００の水平部４００ｂは、振動発生装置３００と接触して振動発生装置３００の最大変位を制限したり、定義することができる。万一、緩衝部材４００を含んでいないディスプレイ装置が外部からの衝撃を受けた場合、外部からの衝撃が振動発生装置３００まで、そのまま伝達され、振動発生装置３００が破損し得る。したがって、本出願による緩衝部材４００は、ディスプレイパネル１００が外部からの衝撃を受けても振動発生装置３００の最大変位を制限したり、定義することにより、振動発生装置３００が損傷、または破損することを防止または減少させることができる。
【００８５】
一例によると、緩衝部材４００は、振動伝達部材６００よりも高い弾性力を有することができる。例えば、振動伝達部材６００は、振動発生装置３００から発生する振動をディスプレイパネル１００に伝達するためにディスプレイパネル１００と振動発生装置３００の間に介在し、緩衝部材４００は、ディスプレイパネル１００が外部からの衝撃を受けたとき、振動発生装置３００の最大変位を制限したり定義するために、背面構造物２００の背面に付着することができる。したがって、緩衝部材４００は、ディスプレイパネル１００が受けた外部からの衝撃が振動伝達部材６００を介して振動発生装置３００にすべて伝達されることを減らしたり、または防止することにより、貫通孔２１０に挿入された振動発生装置３００の最大変位を制限することができる。
【００８６】
図１４は、本出願の第４実施例に係る表示装置を示す断面図である。図１５ａ及び図１５ｂは、図１４のＡ領域で、振動発生装置によって振動するディスプレイパネルを示す図であり、図１６は、図１４のＡ領域で、外部からの衝撃を受けたディスプレイ装置を示す図である。ここで、本出願の第４実施例は、第１〜第３実施例と緩衝部材４００の構成を異にするものであり、前述した構成と同一の構成は、簡単に説明したり、省略することにする。
【００８７】
図１４〜図１６を参照すると、緩衝部材４００は、ディスプレイパネル１００に付着した第１緩衝部材４１０および背面構造物２００に付着した第２緩衝部材４２０を含み、振動発生装置３００の最大変位を定義または制限することができる。詳細には、第１緩衝部材４１０は、背面構造物２００と向き合うディスプレイパネル１００の一面に付着し、第２緩衝部材４２０は、ディスプレイパネル１００と向き合う背面構造物２００の一面に付着し、第１及び第２緩衝部材４１０、４２０のそれぞれは、振動伝達部材６００から離隔して囲むことができる。例えば、第１緩衝部材４１０は、ディスプレイパネル１００の背面に付着することができ、ディスプレイパネル１００の前面（Ｆｒｏｎｔ  Ｓｕｒｆａｃｅ）は、映像を表示する面に該当し、ディスプレイパネル１００の背面は、前面の反対面に該当することができる。そして、第２緩衝部材４２０は、背面構造物２００の前面（Ｆｒｏｎｔ  Ｓｕｒｆａｃｅ）に付着することができ、背面構造物２００の前面は、ディスプレイパネル１００と向き合う一面に該当し得る。
【００８８】
第１及び第２緩衝部材４１０、４２０は、背面構造物２００の貫通孔２１０と重畳しないが、貫通孔２１０と隣接する領域に配置することができる。一例によると、第１及び第２緩衝部材４１０、４２０は、貫通孔２１０と最大限隣接して、パーティション部材５００と最大限離隔するように配置することができる。例えば、第１緩衝部材４１０は、ディスプレイパネル１００に付着して、背面構造物２００と離隔し、第２緩衝部材４２０は、背面構造物２００に付着してディスプレイパネル１００と離隔し、パーティション部材５００は、ディスプレイパネル１００と背面構造物２００の間に介在するので、第１および第２緩衝部材４１０、４２０は、パーティション部材５００と離隔されるほど、外部からの衝撃が発生したとき、貫通孔２１０に挿入された振動発生装置３００の最大変位を定義または制限することができる。
【００８９】
一例によると、第１及び第２緩衝部材４１０、４２０のそれぞれは、振動伝達部材６００を基準に、互いに対称になるように配置することができる。例えば、第１および第２緩衝部材４１０、４２０のそれぞれは、振動伝達部材６００の左右側、上下側、または上下左右側のように、振動伝達部材６００を基準に、互いに対称になるように配置することができる。つまり、振動伝達部材６００は、貫通孔２１０または音響発生モジュール３１０の中心部と重畳し、第１及び第２緩衝部材４１０、４２０は、貫通孔２１０または音響発生モジュール３１０と隣接するように配置することにより、第１及び第２緩衝部材４１０、４２０のそれぞれは、振動伝達部材６００から離隔して囲むことができる。
【００９０】
一例によると、第１及び第２緩衝部材４１０、４２０は、互いに重畳することができる。そして、第１及び第２緩衝部材４１０、４２０の厚さの合計は、ディスプレイパネル１００と背面構造物２００の間に介在したパーティション部材５００の厚さよりも薄いことがあり得る。ここで、第１および第２緩衝部材４１０、４２０、およびパーティション部材５００それぞれの厚さは、ディスプレイパネル１００および背面構造物２００それぞれの厚さと同じ方向に測定することができる。例えば、第１および第２緩衝部材４１０、４２０は、振動発生装置３００が、ディスプレイパネル１００を振動させる場合、互いに離隔し、ディスプレイパネル１００が外部からの衝撃を受けた場合、互いに接触することができる。詳細には、ディスプレイパネル１００と背面構造物２００の間に介在したパーティション部材５００の高さは、第１および第２緩衝部材４１０、４２０のそれぞれの高さの合計よりも高くなり得る。また、ディスプレイパネル１００の振動による変位は、第１および第２緩衝部材４１０、４２０の間の距離よりも小さいことがあり得る。
【００９１】
例えば、図１５ａ及び図１５ｂのように、振動発生装置３００は、振動伝達部材６００を介してディスプレイパネル１００を振動させて音響（ＳＷ）を出力することができる。このとき、ディスプレイパネル１００の振動による変位は、第１および第２緩衝部材４１０、４２０の間の距離よりも小さいので、ディスプレイパネル１００が振動しても、第１および第２緩衝部材４１０、４２０は、互いに接触しないことがあり得る。
【００９２】
しかし、図１６のように、ディスプレイパネル１００が外部からの衝撃を受けた場合、ディスプレイパネル１００の変位は、振動による変位よりも増加し得、第１および第２緩衝部材４１０、４２０は、互いに接触して振動発生装置３００の最大変位を定義または制限することができる。万一、第１および第２緩衝部材４１０、４２０を含んでいないディスプレイ装置が外部からの衝撃を受けた場合、外部からの衝撃が振動発生装置３００まで、そのまま伝達され、振動発生装置３００が破損し得る。
【００９３】
したがって、本出願による第１および第２緩衝部材４１０、４２０は、ディスプレイパネル１００が外部からの衝撃を受けても振動発生装置３００の最大変位を定義または制限することにより、振動発生装置３００が損傷または破損することを低減させたり防止することができる。また、本出願による表示装置は、第１および第２緩衝部材４１０、４２０を含むことにより、一つの緩衝部材だけを含む場合よりも、振動発生装置３００に加わる負担を減らすことができる。
【００９４】
図１７は、本出願の第５実施例に係る表示装置を示す断面図である。図１８ａ及び図１８ｂは、図１７のＡ領域で、振動発生装置によって振動するディスプレイパネルを示す図であり、図１９は、図１７のＡ領域で、外部からの衝撃を受けたディスプレイ装置を示す図である。ここで、本出願の第５実施例は、第１〜第４実施例と緩衝部材４００の構成を異にするものであり、前述した構成と同一の構成は、簡単に説明したり、省略することにする。
【００９５】
図１７〜図１９を参照すると、緩衝部材４００は、ディスプレイパネル１００に付着した第１緩衝部材４１０および背面構造物２００に付着した第２緩衝部材４２０を含み、振動発生装置３００の最大変位を定義または制限することができる。詳細には、第１緩衝部材４１０は、背面構造物２００と向き合うディスプレイパネル１００の一面に付着し、振動伝達部材６００から離隔して囲み、第２緩衝部材４２０は、ディスプレイパネル１００と向き合う背面構造物２００の一面と反対の一面に付着して振動伝達部材６００と重畳することができる。例えば、第１緩衝部材４１０は、ディスプレイパネル１００の背面に付着することができ、ディスプレイパネル１００の前面（Ｆｒｏｎｔ  Ｓｕｒｆａｃｅ）は、映像を表示する面に該当し、ディスプレイパネル１００の背面は、前面の反対面に該当する。そして、第２緩衝部材４２０は、背面構造物２００の背面に付着することができ、背面構造物２００の背面は、ディスプレイパネル１００と向き合う一面と反対の一面に該当することができる。
【００９６】
第１緩衝部材４１０は、貫通孔２１０と重畳しないが、貫通孔２１０と隣接する領域に配置され、第２緩衝部材４２０は、貫通孔２１０と重畳するように配置することができる。
【００９７】
第１緩衝部材４１０の厚さは、ディスプレイパネル１００と背面構造物２００の間に介在したパーティション部材５００の厚さよりも薄いことがあり得る。ここで、第１緩衝部材４１０およびパーティション部材５００それぞれの厚さは、ディスプレイパネル１００および背面構造物２００それぞれの厚さと同じ方向に測定することができる。一例によると、第１緩衝部材４１０は、貫通孔２１０と最大限隣接し、パーティション部材５００と離隔するほど、外部からの衝撃が発生したとき貫通孔２１０に挿入された振動発生装置３００の最大変位を制限することができる。
【００９８】
そして、第２緩衝部材４２０は、垂直部４２０ａおよび、水平部４２０ｂを含むことができる。第２緩衝部材４２０の垂直部４２０ａは、背面構造物２００の背面に付着することができる。詳細には、垂直部４２０ａは、貫通孔２１０と隣接する領域に配置して貫通孔２１０と重畳する水平部４２０ｂを支持することができる。例えば、垂直部４２０ａは、背面構造物２００の背面からディスプレイ装置の後方に延長して、水平部４２０ｂを支持することができる。
【００９９】
第２緩衝部材４２０の水平部４２０ｂは、貫通孔２１０および振動発生装置３００のそれぞれと重畳し、振動発生装置３００と並んで配置することができる。そして、第２緩衝部材４２０の水平部４２０ｂと振動発生装置３００の間の距離は、ディスプレイパネル１００と背面構造物２００の間に介在したパーティション部材５００の厚さよりも薄いことがあり得る。一例によると、水平部４２０ｂは、振動発生装置３００と並んで配置されることで、ディスプレイパネル１００が外部からの衝撃を受けた場合、振動発生装置３００と直接接触して振動発生装置３００の最大変位を制限することができる。
【０１００】
例えば、図１８ａ及び図１８ｂのように、振動発生装置３００は、振動伝達部材６００を介してディスプレイパネル１００を振動させて音響（ＳＷ）を出力することができる。ここで、ディスプレイパネル１００の振動による変位は、第１緩衝部材４１０と背面構造物２００の間の距離よりも小さいので、ディスプレイパネル１００が振動しても、第１緩衝部材４１０は、背面構造物２００と接触しないことがあり得る。また、ディスプレイパネル１００の振動による変位は、第２緩衝部材４２０と振動発生装置３００の間の距離よりも小さいので、振動発生装置３００が振動しても、第２緩衝部材４２０は、振動発生装置３００と接触しないことがあり得る。
【０１０１】
しかし、図１９のように、ディスプレイパネル１００が外部からの衝撃を受けた場合、ディスプレイパネル１００の変位は、振動による変位よりも増加し得、第１緩衝部材４１０は、背面構造物２００と接触して、第２緩衝部材４２０は、振動発生装置３００と接触して振動発生装置３００の最大変位を定義または制限することができる。万一、第１および第２緩衝部材４１０、４２０を含んでいないディスプレイ装置が外部からの衝撃を受けた場合、外部からの衝撃が振動発生装置３００までそのまま伝達され、振動発生装置３００が破損することがあり得る。
【０１０２】
したがって、本出願による第１および第２緩衝部材４１０、４２０は、ディスプレイパネル１００が外部からの衝撃を受けても振動発生装置３００の最大変位を定義または制限することにより、振動発生装置３００が損傷または破損することを低減させたり防止することができる。また、本出願による表示装置は、第１および第２緩衝部材４１０、４２０を含むことにより、一つの緩衝部材だけを含む場合よりも、振動発生装置３００に加わる負担を減らすことができる。
【０１０３】
本出願の実施例に係る表示装置に適用するディスプレイパネルは、液晶表示パネル、有機電界発光（ＯＬＥＤ：Ｏｒｇａｎｉｃ  Ｌｉｇｈｔ  Ｅｍｉｔｔｉｎｇ  Ｄｉｏｄｅ）ディスプレイパネル、量子ドットディスプレイパネル（ｑｕａｎｔｕｍ  ｄｏｔ  ｄｉｓｐｌａｙ  ｐａｎｅｌ）、および電界発光ディスプレイパネル（ｅｌｅｃｔｒｏｌｕｍｉｎｅｓｃｅｎｔ  ｄｉｓｐｌａｙ  ｐａｎｅｌ）などのすべての形態のディスプレイパネルを使用することができ、本出願の振動発生装置によって振動することによって音響を発生することのできる特定のディスプレイパネルに限定されない。そして、本出願の実施例の表示装置は、有機発光層、量子ドット発光層、およびマイクロ発光ダイオードなどを含むディスプレイパネルに適用することができる。
【０１０４】
そして、本出願の実施例に係る振動発生装置は、ディスプレイ装置に適用することが可能である。本出願の実施例に係る表示装置は、モバイル装置、映像電話、スマートウォッチ（ｓｍａｒｔ  ｗａｔｃｈ）、ウォッチフォン（ｗａｔｃｈ  ｐｈｏｎｅ）、ウェアラブル機器（ｗｅａｒａｂｌｅ  ｄｅｖｉｃｅ）、フォルダブル機器（ｆｏｌｄａｂｌｅ  ｄｅｖｉｃｅ）、ローラブル機器（ｒｏｌｌａｂｌｅ  ｄｅｖｉｃｅ）、ベンダブル機器（ｂｅｎｄａｂｌｅ  ｄｅｖｉｃｅ）、フレキシブル装置（ｆｌｅｘｉｂｌｅ  ｄｅｖｉｃｅ）、カーブド機器（ｃｕｒｖｅｄ  ｄｅｖｉｃｅ）、電子手帳、電子ブック、ＰＭＰ（ｐｏｒｔａｂｌｅ  ｍｕｌｔｉｍｅｄｉａ  ｐｌａｙｅｒ）、ＰＤＡ（ｐｅｒｓｏｎａｌ  ｄｉｇｉｔａｌ  ａｓｓｉｓｔａｎｔ）、ＭＰ３プレーヤー、携帯電話医療機器、デスクトップＰＣ（ｄｅｓｋｔｏｐ  ＰＣ）、ラップトップＰＣ（ｌａｐｔｏｐ  ＰＣ）、ネットブックコンピュータ（ｎｅｔｂｏｏｋ  ｃｏｍｐｕｔｅｒ）、ポータブルコンピュータ（ｐｏｒｔａｂｌｅ  ｃｏｍｐｕｔｅｒ）、ワークステーション、（ｗｏｒｋｓｔａｔｉｏｎ）、ナビゲーション、車両用ナビゲーション、車両用表示装置、テレビ、ウォールペーパー（ｗａｌｌ  ｐａｐｅｒ）、ノートパソコン、モニター、カメラ、ビデオカメラ、および家電機器などに適用することができる。
【０１０５】
本出願によるディスプレイ装置は、以下のように説明することができる。
【０１０６】
本出願のいくつかの例によるディスプレイ装置は、映像を表示するディスプレイパネル、ディスプレイパネルを支持して厚さ方向に沿って穿孔された貫通孔を含む背面構造物、貫通孔に挿入してディスプレイパネルを振動させる少なくとも一つの音響発生モジュールを含む振動発生装置、ディスプレイパネルと振動発生装置の間に介在して振動発生装置の振動をディスプレイパネルに伝達する振動伝達部材、およびディスプレイパネルおよび背面構造物のいずれかに付着する緩衝部材を含むことができる。
【０１０７】
本出願のいくつかの例によると、緩衝部材は、背面構造物と向き合うディスプレイパネルの一面に付着することができる。
【０１０８】
本出願のいくつかの例によると、緩衝部材は、振動伝達部材から離隔して囲むことができる。
【０１０９】
本出願のいくつかの例によると、緩衝部材の厚さは、ディスプレイパネルおよび背面構造物の間に介在したパーティション部材の厚さよりも薄いことがあり得る。
【０１１０】
本出願のいくつかの例によると、緩衝部材は、複数の緩衝部材を含み、複数の緩衝部材は、振動伝達部材を基準に互いに対称になるように配置することができる。
【０１１１】
本出願のいくつかの例によると、緩衝部材は、ディスプレイパネルと向き合う背面構造物の一面に付着することができる。
【０１１２】
本出願のいくつかの例によると、緩衝部材は、振動伝達部材と離隔して振動伝達部材を囲むことができる。
【０１１３】
本出願のいくつかの例によると、緩衝部材の厚さは、ディスプレイパネルと背面構造物の間に介在したパーティション部材の厚さよりも薄いことがあり得る。
【０１１４】
本出願のいくつかの例によると、緩衝部材は、複数の緩衝部材を含み、複数の緩衝部材は、振動伝達部材を基準に互いに対称になるように配置することができる。
【０１１５】
本出願のいくつかの例によると、緩衝部材は、ディスプレイパネルと向き合う背面構造物の一面と反対の一面に付着して貫通孔と重畳するように配置することができる。
【０１１６】
本出願のいくつかの例によると、緩衝部材は、背面構造物の背面に付着する垂直部、および貫通孔と、重畳して振動発生装置と並んで配置された水平部を含むことができる。
【０１１７】
本出願のいくつかの例によると、水平部と振動発生装置の間の距離は、ディスプレイパネルと背面構造物の間に介在したパーティション部材の厚さよりも小さいことがあり得る。
【０１１８】
本出願のいくつかの例によると、緩衝部材は、振動発生装置とディスプレイパネルの最大変位を限定することができる。
【０１１９】
本出願のいくつかの例によるディスプレイ装置は、映像を表示するディスプレイパネル、ディスプレイパネルを支持して厚さ方向に沿って穿孔された貫通孔を含む背面構造物、貫通孔に挿入してディスプレイパネルを振動させる少なくとも一つの音響発生モジュールを含む振動発生装置、ディスプレイパネルと振動発生装置の間に介在して振動発生装置の振動をディスプレイパネルに伝達する振動伝達部材、およびディスプレイパネルに付着した第１緩衝部材、および背面構造物に付着した第２緩衝部材を含む緩衝部材を含むことができる。
【０１２０】
本出願のいくつかの例によると、第１緩衝部材は、背面構造物と向き合うディスプレイパネルの一面に付着し、第２緩衝部材は、ディスプレイパネルと向き合う背面構造物の一面に付着することができる。
【０１２１】
本出願のいくつかの例によると、第１及び第２緩衝部材は、互いに重畳することができる。
【０１２２】
本出願のいくつかの例によると、第１及び第２緩衝部材の厚さの合計は、ディスプレイパネルと背面構造物の間に介在したパーティション部材の厚さよりも薄いことがあり得る。
【０１２３】
本出願のいくつかの例によると、第１緩衝部材は、背面構造物と向き合うディスプレイパネルの一面に付着し、第２緩衝部材は、ディスプレイパネルと向き合う背面構造物の一面と反対の一面に付着して貫通孔と重畳するように配置することができる。
【０１２４】
本出願のいくつかの例によると、第２緩衝部材は、背面構造物の背面に付着する垂直部、および貫通孔と重畳して振動発生装置と並んで配置された水平部を含むことができる。
【０１２５】
本出願のいくつかの例によると、第１緩衝部材の厚さは、ディスプレイパネルと背面構造物の間に介在したパーティション部材の厚さよりも薄く、第２緩衝部材の水平部と振動発生装置の間の距離は、ディスプレイパネルと背面構造物の間に介在したパーティション部材の厚さよりも小さいことがあり得る。
【０１２６】
以上で説明した本出願は、前述した実施例及び添付した図に限定されるものではなく、本出願の技術的事項を逸脱しない範囲内で、複数の置換、変形及び変更が可能であることが、本出願が属する技術分野で通常の知識を有する者にとって明らかであろう。したがって、本出願の範囲は、後述する特許請求の範囲によって示され、特許請求の範囲の意味及び範囲そしてその等価概念から導出されるすべての変更または変形された形態が本出願の範囲に含まれるものと解釈されなければならない。
【符号の説明】
【０１２７】
１００：ディスプレイパネル
２００：背面構造物
３００：振動発生装置
４００：緩衝部材
５００：パーティション部材
６００：振動伝達部材
７００：接着部材
【図１】
2020030410.tif 000003
【図２】
2020030410.tif 000004
【図３】
2020030410.tif 000005
【図４Ａ】
2020030410.tif 000006
【図４Ｂ】
2020030410.tif 000007
【図５】
2020030410.tif 000008
【図６】
2020030410.tif 000009
【図７】
2020030410.tif 000010
【図８Ａ】
2020030410.tif 000011
【図８Ｂ】
2020030410.tif 000012
【図９】
2020030410.tif 000013
【図１０】
2020030410.tif 000014
【図１１】
2020030410.tif 000015
【図１２Ａ】
2020030410.tif 000016
【図１２Ｂ】
2020030410.tif 000017
【図１３】
2020030410.tif 000018
【図１４】
2020030410.tif 000019
【図１５Ａ】
2020030410.tif 000020
【図１５Ｂ】
2020030410.tif 000021
【図１６】
2020030410.tif 000022
【図１７】
2020030410.tif 000023
【図１８Ａ】
2020030410.tif 000024
【図１８Ｂ】
2020030410.tif 000025
【図１９】
2020030410.tif 000026